(57)【要約】【課題】誤作動の恐れを軽減すると同時に、ＬＣＤモジュールをさらに安全に保護し、また防水効果までも期待できる無線情報端末機器のＬＣＤ組立体を提供する。【解決手段】ＬＣＤ１１及び該ＬＣＤの表面に付着されるＴＳＰ１２を備えるＬＣＤモジュール１０と、前記ＬＣＤモジュールを支持するよう当接して結合される上下部ハウジング部材２１、２２よりなり、前記上部ハウジング部材には所定サイズの露出窓が形成されるハウジング２０、及び前記ＬＣＤモジュールのＴＳＰ縁部と前記上部ハウジング部材との一定ギャップを維持するためにこれらの間に介在され、伸縮性及び衝撃吸水性に優れたゴム材質で形成される間隔維持部材５０を含んで構成される。【選択図】　図２
2004046835.tif 000002
【特許請求の範囲】
【請求項１】
ＬＣＤ及び該ＬＣＤの表面に付着されたタッチスクリーンパネル（ＴＳＰ）を有するＬＣＤモジュールと、
前記ＬＣＤモジュールを支持するよう当接して結合される上下部ハウジング部材よりなり、前記上部ハウジング部材には所定サイズの露出窓が形成されるハウジングと、
前記ＬＣＤモジュールのＴＳＰ縁部と前記上部ハウジング部材との一定ギャップを維持するためにこれらの間に介在される間隔維持部材と
を含んで構成されることを特徴とする無線情報端末機器のＬＣＤ組立体。
【請求項２】
前記間隔維持部材は、伸縮性及び衝撃吸水性に優れたゴム材質で形成されることを特徴とする請求項１に記載の無線情報端末機器のＬＣＤ組立体。
【請求項３】
前記間隔維持部材は、固定部と前記ＴＳＰに密着されるパッド部を備え、前記パッド部には前記ＴＳＰの間に空気を存在させるための空気溝が形成されることを特徴とする請求項１に記載の無線情報端末機器のＬＣＤ組立体。
【請求項４】
前記空気溝は、前記パッド部をその中心から両側に下向き傾斜して屈曲成形することによって形成されることを特徴とする請求項３に記載の無線情報端末機器のＬＣＤ組立体。
【請求項５】
前記上部ハウジング部材には前記固定部が挟み込まれるこの固定部と対応する形状の固定溝が形成され前記間隔維持部材が固定されるようになることを特徴とする請求項３に記載の無線情報端末機器のＬＣＤ組立体。
【請求項６】
ＬＣＤ及び該ＬＣＤの表面に付着されたＴＳＰを備えるＬＣＤモジュールと、
前記ＬＣＤモジュールを支持するよう当接して結合される上下部ハウジング部材よりなり、前記上部ハウジング部材には所定のサイズの露出窓が形成されるハウジングと、
前記ＬＣＤモジュールのＴＳＰ縁部と前記上部ハウジング部材との一定ギャップを維持するためにこれらの間に介在される間隔維持部材を含み、
前記間隔維持部材は前記上部ハウジング部材と二重射出成形により一体に形成されることを特徴とする無線情報端末機器のＬＣＤ組立体。
【請求項７】
前記間隔維持部材は、伸縮性及び衝撃吸水性に優れたゴム材質で形成されることを特徴とする請求項６に記載の無線情報端末機器のＬＣＤ組立体。
【請求項８】
前記間隔維持部材は、空気が存在するよう内部に陥没された空気溝が形成されることを特徴とする請求項６に記載の無線情報端末機器のＬＣＤ組立体。
【発明の詳細な説明】
【０００１】
【発明の属する技術分野】
本発明は表示装置の一つであるＬＣＤ組立体に係り、さらに詳しくはタッチスクリーンディスプレイ方式の無線情報端末機器（ＰＤＡ）のＬＣＤ組立体に関する。
【０００２】
【従来の技術】
従来のタッチスクリーンディスプレイ方式無線情報端末機器のＬＣＤ組立体は、図１に示した通り、ＬＣＤモジュール１０とこれを支持するハウジング２０を備える。
【０００３】
前記ＬＣＤモジュール１０はＬＣＤ１１と該ＬＣＤ１１の上面に配置されたタッチスクリーンパネル１２（Ｔｏｕｃｈ　Ｓｃｒｅｅｎ　Ｐａｎｅｌ：以下、‘ＴＳＰ’と称する）を備え、前記ハウジング２０は当接して結合される上下部ハウジング部材２１、２２を備える。
【０００４】
前記上部ハウジング部材２１は所定サイズに開口された露出窓２１ａを備え、前記ＬＣＤモジュール１０はそのＴＳＰ１２が前記露出窓２１ａに露出されるよう前記上部ハウジング部材２１にホルダー３０により固着される。
【０００５】
一方、前述したような無線情報端末機器のＬＣＤ組立体において、ＬＣＤモジュール１０と上部ハウジング部材２１との間には一定ギャップが維持されるべきである。これは使用者が外部から力を加える場合、前記上部ハウジング部材２１によりＴＳＰ１２が触れられることにより引き起こされる誤作動を防止するためのことである。ここで、前記ギャップは０．３ないし０．７ｍｍ程度であり、またこのギャップには一定間隔維持のために片面または両面テープで構成される間隔維持部材４０が設けられる。
【０００６】
前述したような間隔維持部材４０により上部ハウジング部材２１とＬＣＤモジュール１０とのギャップが維持され、また外部からハウジングに加わる衝撃により内部のＬＣＤモジュールを保護できるようになる。
【０００７】
しかし、前述したような従来の無線情報端末機器のＬＣＤ組立体においては、上部ハウジング部材２１とＬＣＤモジュール１０との間隔を維持させる部材としてテープを使用するため、防水効果が劣化する問題点がある。特に片面テープを使用する場合、防水効果が全くない。この点を解決するため、両面テープを用いて上部ハウジング部材２１とＬＣＤモジュール１０を完全密着させる構造もあるが、このような場合は伸縮性を有するＴＳＰ１２が変形される恐れがある。
【０００８】
また、従来の間隔維持部材４０として使用されたテープは伸縮性に限界があるため、上部ハウジング部材２１に一定以上の荷重が加わる場合、その荷重がそのままＴＳＰ１２に伝達されることにより誤作動の恐れは相変わらず存在しており、また耐衝撃性に弱くて外部の衝撃からＬＣＤモジュール１０を安全に保護できないという問題点がある。
【０００９】
【発明が解決しようとする課題】
本発明は前述したような点を勘案して案出されたもので、誤作動の恐れを減らせると同時に、ＬＣＤモジュールをさらに安全に保護し、また防水効果までも期待できる無線情報端末機器のＬＣＤ組立体を提供するところにある。
【００１０】
本発明の他の目的は、間隔維持部材を上部ハウジング部材と一体に構成することにより構成部品数を減らすと同時に、間隔維持部材を設置及び組み立てるための工程を排除できる無線情報端末機器のＬＣＤ組立体を提供するところにある。
【００１１】
【課題を解決するための手段】
前述した目的を達成するための本発明に係る無線情報端末機器のＬＣＤ組立体は、ＬＣＤ及び該ＬＣＤの表面に付着されたＴＳＰを備えるＬＣＤモジュールと、該ＬＣＤモジュールを支持するよう当接して結合される上下部ハウジング部材よりなり、前記上部ハウジング部材には所定サイズの露出窓が形成されるハウジング、及び前記ＬＣＤモジュールのＴＳＰ縁部と前記上部ハウジング部材との一定ギャップを維持するためにこれらの間に介在され、伸縮性及び衝撃吸水性に優れたゴム材質で形成される間隔維持部材とを含んで構成されることを特徴とする。
【００１２】
前記間隔維持部材は、固定部と前記ＴＳＰに密着されるパッド部を備え、前記パッド部には前記ＴＳＰとの間に空気を存在させるための空気溝が形成される。
【００１３】
前記空気溝は、前記パッド部をその中心から両側に下向き傾斜して屈曲成形することにより形成できる。
【００１４】
また、前記上部ハウジング部材には前記固定部が挟み込まれるこの固定部と対応する形状の固定溝が形成され、前記間隔維持部材が固定されるようにすることができる。
【００１５】
本発明の望ましい他の実施形態によれば、無線情報端末機器のＬＣＤ組立体は、ＬＣＤ及び該ＬＣＤの表面に付着されたＴＳＰを備えるＬＣＤモジュールと、該ＬＣＤモジュールを支持するよう当接して結合される上下部ハウジング部材よりなり、前記上部ハウジング部材には所定サイズの露出窓が形成されるハウジング、及び前記ＬＣＤモジュールのＴＳＰ縁部と前記上部ハウジング部材との一定ギャップを維持するためにこれらの間に介在され、伸縮性及び衝撃吸水性に優れたゴム材質で形成される間隔維持部材とを含み、前記間隔維持部材は前記上部ハウジング部材と二重射出成形により一体に形成され構成されることを特徴とする。
【００１６】
このような本発明によれば、ゴム材質の間隔維持部材により上部ハウジング部材とＬＣＤモジュールが完全密着されるので防水効果が得られ、またゴムの伸縮性及び衝撃吸水性と空気によるクッション作用により外部衝撃をさらに効率よく緩衝できるので、これによって従来のような外部荷重による誤作動を防止できるのみならず、外部衝撃から内部のＬＣＤモジュールを一層安全に保護することができる。
【００１７】
また、本発明の他の実施形態によれば、間隔維持部材が上部ハウジング部材と一体に形成されるので部品数を減らせ、間隔維持部材を設置及び組立てるための別の工程を排除することができる。
【００１８】
【発明の実施の形態】
以下、添付した図面に基づき本発明の望ましい実施形態を詳述する。参考までに、本発明の実施形態を説明するにおいて従来とその構成及び作用が同一な部分については同一な参照符号を付して引用する。
【００１９】
図２ないし図４に示した通り、本発明の一実施形態による無線情報端末機器のＬＣＤ組立体は、ＬＣＤモジュール１０、ハウジング２０及び間隔維持部材５０を含む。
【００２０】
前記ＬＣＤモジュール１０はＬＣＤ１１と、該ＬＣＤ１１の上面に配置されたＴＳＰ１２を備え、前記ハウジング２０は当接して結合される上下部ハウジング部材２１、２２を備える。
【００２１】
前記上部ハウジング部材２１は所定サイズに開口された露出窓２１ａを備え、前記ＬＣＤモジュール１０はそのＴＳＰ１２が前記露出窓２１ａに露出されるよう前記上部ハウジング部材２１のホルダー３０により固着される。
【００２２】
前記間隔維持部材５０は前記ＬＣＤモジュール１０のＴＳＰ１２の縁部と前記上部ハウジング部材２１との間に介在され、二つの部材１０、２１が一定ギャップを維持したまま組み立てられるようにする。前記間隔維持部材５０は本発明の特徴によって伸縮性及び衝撃吸水性に優れたゴム材質で形成される。
【００２３】
前述したような本発明の特徴による間隔維持部材５０は固定部５１とパッド部５２を備える。前記固定部５１は本発明の間隔維持部材５０を前記上部ハウジング部材２１に固定するためのもので、そのため前記上部ハウジング部材２１には前記固定部５１が挟み込まれるこの固定部５１と対応する形状の固定溝２１ｂが形成される。前記パッド部５２は前記ＬＣＤモジュール１０のＴＳＰ１２の縁部に密着される。
【００２４】
このような本発明に係るゴム材質の間隔維持部材５０は従来のテープとは違って、伸縮性及び衝撃吸水性に優れるため、ハウジング２０に加わる荷重をその部のＬＣＤモジュール１０に伝達せず自体吸収する。従って、誤作動の恐れを減らせ、また外部衝撃からＬＣＤモジュール１０を一層安全に保護することができる。
【００２５】
本発明の望ましい実施形態によれば、前記パッド部５２にはＴＳＰ１２の間に空気を存在させるための空気溝５２ａが形成される。これによれば、間隔維持部材５０それ自体の優れた伸縮性及び衝撃吸水性に前記空気溝５２ａに充填された空気によるエアークッション作用が加わるため、一層向上した緩衝効果が得られる。
【００２６】
ここで、前記空気溝５２ａは前記パッド部５２をその中心から両側に下向き傾斜して屈曲成形することによりパッド部５２の下面に内部に陥没されるよう形成することもできる。
【００２７】
図５は本発明の他の実施形態を示す図であって、同図によれば、ＬＣＤ組立体の基本的な構造は前述した場合とさほど違わない。従って、図２と同一な符号を付して具体的な説明は省く。
【００２８】
但し、本実施形態では間隔維持部材５０Ａが図２の場合とは違って、上部ハウジング部材２１に二重射出成形により一体に形成されるという構成上の特徴がある。これによれば、上部ハウジング部材２１に間隔維持部材５０Ａが一体に形成されるため、間隔維持部材を作製するための工程及び間隔維持部材を上部ハウジング部材に設ける工程などを排除することができる。すなわち、本発明の一実施形態の場合より部品数を減らせるのみならず組立工程を省ける。
【００２９】
【発明の効果】
以上述べた通り、本発明によればゴム材質の間隔維持部材により上部ハウジング部材とＬＣＤモジュールが完全密着されるので防水効果が得られる。
【００３０】
また、ゴムの伸縮性及び衝撃吸水性と空気によるクッション作用により外部衝撃を一層効率よく緩衝できるため、従来のような外部荷重による誤作動を防止することができるのみならず、外部衝撃から内部のＬＣＤモジュールをさらに安全に保護できる。
【００３１】
しかも、本発明の他の実施形態によれば、間隔維持部材が上部ハウジング部材と一体に形成されるので部品数を減らせ、間隔維持部材を設置及び組み立てるたの工程を省ける。よって、生産性の向上が図れる。
【００３２】
以上、本発明を本発明の原理を例示するための望ましい実施形態について説明し図示したが、本発明はそのように示しかつ説明されたそのままの構成及び作用に限定されない。むしろ、特許請求の範囲の思想及び範疇を逸脱せず本発明に対する多数の変更及び修正が可能なことを当業者はよく理解できるだろう。従って、そのような全ての適切な変更及び修正と均等物も本発明の範囲に属することと見做されるべきである。
【図面の簡単な説明】
【図１】一般の無線情報端末機器のＬＣＤ組立体を概略的に示す断面図である。
【図２】本発明の一実施形態による無線情報端末機器のＬＣＤ組立体を概略的に示す断面図である。
【図３】図２に示すＬＣＤ組立体の要部拡大断面図である。
【図４】本発明が適用される無線情報端末機器の平面図である。
【図５】本発明の他の実施形態による無線情報端末機器のＬＣＤ組立体を概略的に示す断面図である。
【符号の説明】
１０　ＬＣＤモジュール
１１　ＬＣＤ
１２　ＴＳＰ
２０　ハウジング
２１、２２　上下部ハウジング部材
３０　ホルダー
５０　間隔維持部材
５１　固定部
５２　パッド部
５２ａ　空気溝
【図１】
2004046835.tif 000003
【図２】
2004046835.tif 000004
【図３】
2004046835.tif 000005
【図４】
2004046835.tif 000006
【図５】
2004046835.tif 000007